(57)【要約】【課題】ユーザである居住者の優先順位を考慮した照明の制御を可能にする。【解決手段】ＨＥＭＳ３０は、照明の制御の態様を居住者のＩＤ情報に対応付けて居住者別に規定すると共に、照明の制御における居住者の優先順位を居住者のＩＤ情報に対応付けて規定した居住者別照明制御表を予め記憶している。また、ＨＥＭＳ３０は、居住者別照明制御表を参照して認証器６４，７２が取得した居住者のＩＤ情報に対応付けられた照明の制御を行うと共に、取得した居住者のＩＤ情報が複数の場合には、優先順位が最も高い居住者のＩＤ情報に対応付けられた制御を優先的に行う。【選択図】図１
2015097178.tif 000002
【特許請求の範囲】
【請求項１】
ユーザのＩＣタグから該ユーザの識別情報を取得する識別情報取得手段と、
照明の制御の態様を前記ユーザの識別情報に対応付けて前記ユーザ別に規定すると共に、前記照明の制御における前記ユーザの優先順位を前記ユーザの識別情報に対応付けて規定したユーザ別照明制御情報を記憶した記憶手段と、
前記ユーザ別照明制御情報を参照して前記識別情報取得手段が取得した識別情報に対応付けられた照明の制御を行うと共に、前記取得した識別情報が複数の場合には、優先順位が最も高いユーザの識別情報に対応付けられた制御を優先的に行う制御装置と、
を備えた照明制御システム。
【請求項２】
前記ユーザ別照明制御情報に係る事項を入力するための入力手段をさらに備え、
前記入力手段を介して前記ユーザに対して不眠登録の入力がされた場合に、前記制御手段は、前記不眠登録されたユーザを前記ユーザ別照明制御情報の前記優先順位の首位に設定する請求項１に記載の照明制御システム。
【請求項３】
前記制御手段は、所定の人数の前記ユーザに対して前記不眠登録をする請求項２に記載の照明制御システム。
【請求項４】
前記ユーザ別照明制御情報は、前記照明の点灯時間及び消灯時間を前記ユーザの識別情報に対応付けて前記ユーザ別に規定すると共に、前記照明が光度を変更可能な場合には、前記照明の光度の変更の態様及び前記照明の光度を変更する時間を前記ユーザの識別情報に対応付けて前記ユーザ別に規定した請求項１〜３のいずれか１項に記載の照明制御システム。
【請求項５】
前記ユーザ照明制御表は、前記照明が複数設けられている場合に、該複数の照明の各々の点灯時間及び消灯時間並びに該複数の照明のうち光度を変更可能な照明の光度の変更の態様及び光度を変更する時間を前記ユーザの識別情報に対応付けて前記ユーザ別に規定した請求項４に記載の照明制御システム。
【発明の詳細な説明】
【技術分野】
【０００１】
本発明は、建物内における照明制御システムに関する。
【背景技術】
【０００２】
建物の居住者の個人情報を一元的に管理し、個人情報に基づく設備管理を行う技術がある。例えば、特許文献１には、ＩＤ読取り装置で居住者の個人認証を行い、各設備機器のオン又はオフの制御をする建物設備管理装置が開示されている。
【先行技術文献】
【特許文献】
【０００３】
【特許文献１】特開２０１０−３９８７５号公報
【発明の概要】
【発明が解決しようとする課題】
【０００４】
特許文献１に記載の建物設備管理装置は、建物内に設けられた監視カメラが撮影した居住者の動作から建物内での居住者の経路を予め把握し、居住者が建物に入った場合に居住者の経路に沿った照明設備を点灯させる制御を行っている。しかしながら、特許文献１に記載の建物設備管理装置は、複数の居住者が同じ場所に居る場合、どの居住者を優先して照明を制御するかを考慮していないという問題があった。
【０００５】
本発明は、上記事実を考慮して成されたもので、居住者の優先順位を考慮した照明の制御が可能な照明制御システムを提供することを目的とする。
【課題を解決するための手段】
【０００６】
上記課題を解決するための請求項１の発明は、ユーザのＩＣタグから該ユーザの識別情報を取得する識別情報取得手段と、照明の制御の態様を前記ユーザの識別情報に対応付けて前記ユーザ別に規定すると共に、前記照明の制御における前記ユーザの優先順位を前記ユーザの識別情報に対応付けて規定したユーザ別照明制御情報を記憶した記憶手段と、前記ユーザ別照明制御情報を参照して前記識別情報取得手段が取得した識別情報に対応付けられた照明の制御を行うと共に、前記取得した識別情報が複数の場合には、優先順位が最も高いユーザの識別情報に対応付けられた制御を優先的に行う制御装置と、を備える。
【０００７】
請求項１に記載の発明によれば、照明の制御におけるユーザの優先順位をユーザの識別情報に対応付けて規定したユーザ別照明制御情報を参照して、優先順位が最も高いユーザの識別情報に対応付けられた制御を優先的に行うことができる。
【０００８】
請求項２の発明は、請求項１に記載の発明において、前記ユーザ別照明制御情報に係る事項を入力するための入力手段をさらに備え、前記入力手段を介して前記ユーザに対して不眠登録の入力がされた場合に、前記制御手段は、前記不眠登録されたユーザを前記ユーザ別照明制御情報の前記優先順位の首位に設定する。
【０００９】
請求項２に記載の発明によれば、不眠登録されたユーザの優先順位を首位に設定できる。
【００１０】
請求項３の発明は、請求項２に記載の発明において、前記制御手段は、所定の人数の前記ユーザに対して前記不眠登録をする。
【００１１】
請求項３に記載の発明によれば、不眠登録が可能なユーザを所定の人数に限定することで、制御を最優先するユーザを限定することができる。
【００１２】
請求項４の発明は、請求項１〜３のいずれか１項に記載の発明において、前記ユーザ別照明制御情報は、前記照明の点灯時間及び消灯時間を前記ユーザの識別情報に対応付けて前記ユーザ別に規定すると共に、前記照明が光度を変更可能な場合には、前記照明の光度の変更の態様及び前記照明の光度を変更する時間を前記ユーザの識別情報に対応付けて前記ユーザ別に規定する。
【００１３】
請求項４に記載の発明によれば、照明の点灯及び消灯又は照明の光度の変更を、ユーザ別に制御することができる。
【００１４】
請求項５の発明は、請求項４に記載の発明において、前記ユーザ照明制御表は、前記照明が複数設けられている場合に、該複数の照明の各々の点灯時間及び消灯時間並びに該複数の照明のうち光度を変更可能な照明の光度の変更の態様及び光度を変更する時間を前記ユーザの識別情報に対応付けて前記ユーザ別に規定する。
【００１５】
請求項５に記載の発明によれば、複数の照明について、照明の点灯及び消灯並びに照明の光度の変更を、ユーザ別に制御することができる。
【発明の効果】
【００１６】
以上説明したように、請求項１に記載の発明は、優先順位が最も高いユーザの識別情報に対応付けられた制御を優先的に行うことにより、ユーザである居住者の優先順位を考慮した照明の制御が可能になるという効果を有する。
【００１７】
請求項２に記載の発明によれば、不眠登録されたユーザの優先順位を首位に設定することにより、ユーザである居住者の優先順位を考慮した照明の制御が可能になるという効果を有する。
【００１８】
請求項３に記載の発明によれば、制御を最優先するユーザを限定することで、ユーザである居住者の優先順位を考慮した照明の制御が可能になるという効果を有する。
【００１９】
請求項４に記載の発明によれば、照明の点灯及び消灯並びに照明の光度の変更を、ユーザ別に制御することができ、ユーザである居住者の優先順位を考慮した照明の制御が可能になるという効果を有する。
【００２０】
請求項５に記載の発明によれば、複数の照明について、照明の点灯及び消灯並びに照明の光度の変更を、ユーザ別に制御することができ、ユーザである居住者の優先順位を考慮した照明の制御が可能になるという効果を有する。
【図面の簡単な説明】
【００２１】
【図１】本発明の実施の形態に係る照明制御システムの一例を示す概略図である。
【図２】本発明の実施の形態に係る照明制御システムにおけるＨＥＭＳの概略構成を示すブロック図である。
【図３】本発明の実施の形態に係る照明制御システムの照明の制御を居住者別に規定した居住者別照明制御表の一例を示す図である。
【図４】本発明の実施の形態に係る照明制御システムの居住者別照明制御表に基づいた寝室における照明の制御の一例を示す概略図である。
【図５】本発明の実施の形態に係る照明制御システムにおけるＨＥＭＳの処理の一例を示すフローチャートである。
【発明を実施するための形態】
【００２２】
以下、図面を参照して本実施の形態の一例を詳細に説明する。図１は、本実施の形態に係る照明制御システム１０の一例を示す概略図である。本実施の形態では、系統電力１２からの電力が、主幹ブレーカー１１０を介して建物１００の分電盤１４に供給されている。
【００２３】
主幹ブレーカー１１０の分電盤１４側には、系統電力１２から供給される電力の電流値を検知する主幹ブレーカー電流センサ１２０が設けられている。系統電力１２から分電盤１４に供給された電力は、分岐回路２０Ａ〜２０Ｅを介して寝室５６及びリビング５８に設置された電力負荷手段並びにドア６６に設けられた電気錠５２に分配されている。
【００２４】
本実施の形態では、一例として、分岐回路２０Ａ、２０Ｂはベッド６８を備えた寝室５６に導かれ、分岐回路２０Ａはサブ照明１８に、分岐回路２０Ｂはメイン照明２６に接続されている。また、分岐回路２０Ｃ、２０Ｄはリビング５８に導かれ、分岐回路２０Ｃはテレビ３２に、分岐回路２０Ｄは照明２８に接続されている。また、分岐回路２０Ｅは電気錠５２に接続されている。本実施形態では、サブ照明１８、メイン照明２６及び照明２８の各照明は、各々ＨＥＭＳ（Home Energy Management System）３０によって制御可能で、ＨＥＭＳ３０からの制御により、点灯又は消灯される。
【００２５】
分岐回路２０Ａ〜２０Ｅには分岐回路２０Ａ〜２０Ｅの電流値を計測する電流センサ２２Ａ〜２２Ｅが各々設けられている。電流センサ２２Ａ〜２２Ｅからの情報線は、主幹ブレーカー電流センサ１２０からの情報線と住宅内のエネルギーの管理や制御を行うＨＥＭＳ３０が分電盤１４を制御するための情報線と共にＨＥＭＳ３０に接続されている。なお、図１において破線は計測データ又は制御情報が流れる情報線であるとする。電流センサ２２Ａ〜２２Ｅが検知した電流値は当該電流値が検知された時に対応付けられて、電流センサ２２Ａ〜２２Ｅの検知結果としてＨＥＭＳ３０のメモリに記憶される。
【００２６】
分電盤１４の分岐回路２０Ａ〜２０Ｅには、分岐回路２０Ａ〜２０Ｅをオン状態又はオフ状態に切り替えるための分岐ブレーカー２４Ａ〜２４Ｅが各々設けられ、分岐ブレーカー２４Ａ〜２４Ｅは、ＨＥＭＳ３０によって制御される。なお、図１では、記載の簡略化のために分岐回路は５系統のみ記載しているが、本実施の形態では５系統以上でも５系統以下でもよく、分岐回路の本数に特段の限定はない。
【００２７】
また、ＨＥＭＳ３０には電気錠５２が接続されている。ＨＥＭＳ３０は電気錠５２にＩＣタグを応用した電子鍵等によって入力された認証情報が適正か否かを判定し、肯定判定の場合には電気錠５２の施錠又は解錠を行う。電気錠５２を解錠するための認証除法は、ユーザである居住者を特定するためのいわゆるＩＤ情報である。ＩＤ情報は、例えば、複数の文字又は記号を含み、居住者毎に異なる構成となっている。
【００２８】
ＩＤ情報は、居住者が寝室５６及びリビング５８に入室する場合にも認証器６４，７２で各々読み取られる。寝室５６の扉６２の近くには認証器６４が、リビング５８の扉７０の近くには認証器７２が各々設けられている。電子鍵を持った居住者が寝室５６又はリビング５８に入室すると、電子鍵のＩＤ情報が認証器６４，７２で読み取られ、読み取られたＩＤ情報はＨＥＭＳ３０に送信される。ＨＥＭＳ３０は、認証器６４，７２が読み取ったＩＤ情報に基づいて、寝室５６又はリビング５８の各照明の制御をする。
【００２９】
ＩＣタグを用いた電子鍵には、以下の２種類のタイプが存在する。１つは、自らＩＤ情報を含んだ電波を認証器に発信するアクティブ型。もう１つは、認証器に近づけた場合に認証器からの電磁波で電力が一時的にチャージされ、チャージされた電力でＮＦＣ（Near Field Communication）によるＩＤ情報の送信を行うパッシブ型である。本実施の形態では、アクティブ型及びパッシブ型のいずれでもよいが、居住者が電子鍵の操作を意識せずに扱える点でアクティブ型は優れるので、以下、アクティブ型の電子鍵を用いることを前提に本実施の形態に係る照明制御システム１０について説明する。
【００３０】
また、ＨＥＭＳ３０にはゲートウェイである終端装置５４が接続されており、終端装置５４を介してネットワーク８０に接続されている。ネットワーク８０には、住居及びホームセキュリティ等に関する情報を建物１００に提供する情報センターの情報サーバ９０が接続されており、ＨＥＭＳ３０は、情報サーバ９０から住まい及びホームセキュリティの情報を適宜取得可能である。
【００３１】
図２は、本実施の形態に係る照明制御システムに係るＨＥＭＳ３０の概略構成を示すブロック図である。ＨＥＭＳ３０は、コンピュータを含んで構成されており、図２に示すように、ＣＰＵ３６、ＲＯＭ３８、ＲＡＭ４０、及び入出力ポート４２を備えて、これらがアドレスバス、データバス、及び制御バス等のバス４４を介して互いに接続されている。
【００３２】
入出力ポート４２には、各種入出力機器として、表示部４６、操作部４８、及びメモリ５０が接続されている。なお、表示部４６及び操作部４８は一体で構成され、操作部４８は、表示部４６に設けられたタッチパネルを適用することができる。
【００３３】
表示部４６には、建物１００の消費電力量及び各照明の稼働状況等の情報が表示可能である。メモリ５０には、分岐ブレーカー２４Ａ〜２４Ｅを制御するプログラム、電流センサ２２Ａ〜２２Ｅの検知結果に基づいて建物１００での消費電力量を算出するプログラム、各照明を制御するプログラム及びこれらのプログラムを実行するための各種情報等が記憶されている。ＨＥＭＳ３０は、メモリ５０に記憶されたプログラムをＲＡＭ４０等に展開してＣＰＵ３６で実行することにより、建物１００へ供給する電力の制御等の各種制御、消費電力量の算出及び各照明の制御を行うようになっている。
【００３４】
建物１００の消費電力量は、電流センサ２２Ａ〜２２Ｅが検知した電流値から算出可能である。分電盤１４から供給される電圧は略１００Ｖなので、本実施の形態では各電流センサが検知した電流値に１００を乗算することで、消費電力量を算出する。しかしながら、電圧の変動が大きい分岐回路では、別途電圧を測定する手段を設けてもよい。また、ＨＥＭＳ３０の入出力ポート４２には、分電盤１４、認証器６４，７２、各照明、電気錠５２及び終端装置５４等が接続されている。
【００３５】
図３は、本実施の形態に係る照明制御システム１０の照明の制御を居住者別に規定した居住者別照明制御表の一例を示す図である。図３に示した居住者別照明制御表は、照明の制御の態様を居住者のＩＤ情報に対応付けて居住者別に規定すると共に、照明の制御における居住者の優先順位を居住者のＩＤ情報に対応付けて規定したもので、ＨＥＭＳ３０のメモリ５０に記憶されている、図３の居住者別照明制御表は、各居住者を識別するＩＤ情報と、居住者が不眠の傾向を有することを示す不眠登録と、居住者の優先順位と、が記載されている。さらに、図３の居住者別照明制御表には、睡眠時の照明の制御である「睡眠時お好み」と、就寝時間と、起床時間とが記載されている。不眠登録は所定の人数、例えば１人のみ登録可能で、ある居住者について不眠登録をすると、当該居住者の優先順位が自動的に首位になり、他の居住者の有無に関係なく、当該居住者の「睡眠時お好み」の設定で各照明が制御される。なお、不眠登録は、ＨＥＭＳ３０の操作部４８で入力でき、不眠登録がされて優先順位が変更された居住者別照明制御表は、ＨＥＭＳ３０のメモリ５０に記憶される。
【００３６】
また、図３では、就寝時間及び起床時間を記載したが、照明の点灯時間及び消灯時間を居住者のＩＤ情報に対応付けて規定してもよい。また、照明の光度を段階的又は連続的に変更可能な場合には、照明の光度の変更の態様及び照明の光度を変更する時間を居住者のＩＤ情報に対応付けて規定してもよい。照明の光度の変更の態様とは、例えば、「最大光度の５０％に減光」又は「最小光度から最大光度の７０％に変更」等である。
【００３７】
さらに、照明が複数設けられている場合には、複数の照明の各々の点灯時間及び消灯時間並びに複数の照明のうち光度を変更できる照明の光度の変更の態様及び照明の光度を変更する時間を、居住者のＩＤ情報に対応付けて規定してもよい。
【００３８】
本実施の形態では、例えば、寝室５６に入室した居住者を当該居住者が所持する電子鍵から発信されたＩＤ情報を認証器６４で取得し、ＨＥＭＳ３０は上述の居住者別照明制御表を参照して認証器６４で取得したＩＤ情報に対応付けられた照明の制御をする。また、取得したＩＤ情報が複数の場合には、優先順位が最も高い居住者のＩＤ情報に対応付けられた制御を優先的に行う。
【００３９】
図４は、本実施の形態に係る照明制御システム１０の居住者別照明制御表に基づいた寝室５６における照明の制御の一例を示す概略図である。寝室５６には、優先順位が第２位の第２ユーザである妻が先に入室し、メイン照明２６が点灯し、第２ユーザの就寝時間には、第２ユーザの「睡眠時お好み」である全消灯の制御がなされ、メイン照明２６は消灯する。
【００４０】
優先順位が首位の第１ユーザである夫が入室するとサブ照明１８が点灯する。その後、第１ユーザの就寝時間には、第１ユーザの「睡眠時お好み」であるサブ照明１８の点灯の制御が、図３の居住者別照明制御表に記載の第１ユーザの起床時間まで継続される。
【００４１】
図４に示したように、不眠登録をした居住者の優先順位を首位とし、優先順位が首位の居住者の「睡眠時お好み」の設定で照明が制御される。なお、図４において第１ユーザが入室した時に、サブ照明１８ではなく、メイン照明２６を点灯させてもよいが、すでに第２ユーザが就寝していると思われるので、メイン照明２６よりも暗いサブ照明１８のみを第１ユーザの入室時に点灯させている。
【００４２】
続いて、本実施の形態に係るＨＥＭＳ３０の制御について説明する。図５は、本実施の形態に係る照明制御システムにおけるＨＥＭＳ３０の処理の一例を示すフローチャートである。スタート後、認証器が居住者のＩＤ情報を取得するのを待ち、ステップ５００でＩＤ情報を取得した場合（肯定判定）には、ステップ５０２で、居住者別照明制御表を参照し、取得したＩＤ情報に係る居住者の優先順が首位か否かを判定する。ステップ５０２で肯定判定の場合には、ステップ５０４で優先順位が首位の居住者の設定で照明を制御して処理を終了する。
【００４３】
ステップ５０２で否定判定の場合には、ステップ５０６で取得したＩＤ情報に係る居住者の居住者別照明制御表に記載の設定で照明を制御し、引き続きＩＤ情報の取得を待つ。ステップ５０８でＩＤ情報を取得した場合（肯定判定）には、ステップ５１０で、居住者別照明制御表を参照し、取得したＩＤ情報に係る居住者の優先順が首位か否かを判定する。ステップ５１０で肯定判定の場合には、ステップ５０４で優先順位が首位の居住者の設定で照明を制御して処理を終了する。
【００４４】
ステップ５１０で否定判定の場合には、ステップ５１２において、ステップ５０８で取得したＩＤ情報に係る居住者は、これまでに取得したＩＤ情報に係る居住者よりも優位か否かを居住者別照明制御表に基づいて判定する。ステップ５１２で肯定判定の場合には、ステップ５１４で新たに取得したＩＤ情報の居住者の設定で照明を制御し、手順をステップ５０８に移行させる。ステップ５１２で否定判定の場合には、現在の制御を継続し、手順をステップ５０８に移行させる。なお、本実施の形態では、認証器６４，７２が居住者の退室を検知した場合には、室内に残った居住者のうち、居住者別照明制御表で最も優先順位が高い居住者の設定で照明を制御する。
【００４５】
以上説明したように本実施の形態によれば、居住者別照明制御表に基づいた制御により、ユーザである居住者の優先順位を考慮した照明の制御が可能になる。
【符号の説明】
【００４６】
１０   照明制御システム
１２   系統電力
１４   分電盤
１８   サブ照明
２６   メイン照明
２８   照明
３６   ＣＰＵ
３８   ＲＯＭ
４０   ＲＡＭ
４２   入出力ポート
４４   バス
４６   表示部
４８   操作部
５０   メモリ
５６   寝室
５８   リビング
６２   扉
６４   認証器
７０   扉
７２   認証器
１００ 建物
【図１】
2015097178.tif 000003
【図２】
2015097178.tif 000004
【図３】
2015097178.tif 000005
【図４】
2015097178.tif 000006
【図５】
2015097178.tif 000007